(57)【要約】【課題】ケーブル接続を利用した電子装置の組立てにおけるケーブル配線の作業性の向上を図るとともに、電子装置内部におけるケーブルの配線状態を維持させて、電子装置の機能が損なわれるのを阻止することにある。【解決手段】ケーブル（４）と、接触支持部（６、ケーブル支持部２４、支持ホルダ５２）とを備える。ケーブルは、コネクタ（コネクタＡ、Ｂ、Ｃ、３４、４４、１０６）間に連結される。接触支持部は、配線方向に沿った折り返し（折返し部１０、１２、４６、４８）により形成された前記ケーブルの積層部分（８）を覆い、該積層部分への接触により前記ケーブルを支持する。そして、前記接触支持部は、前記ケーブルの折返し位置を変位可能に支持することで前記ケーブルの配線長さを調整させる。【選択図】    図１
2014191769.tif 000002
【特許請求の範囲】
【請求項１】
コネクタ間に連結されるケーブルと、
配線方向に沿った折り返しにより形成された前記ケーブルの積層部分を覆い、該積層部分への接触により前記ケーブルを支持する接触支持部を備え、
前記接触支持部は、前記ケーブルの折返し位置を変位可能に支持することで前記ケーブルの配線長さを調整させることを特徴とする、ケーブル装置。
【請求項２】
前記接触支持部は、
一端側に開口部が形成され、該開口部内に挿通された前記ケーブルの折返し部分と前記積層部分とを内部に収納する第１の収納部と、
前記開口部から突出した前記ケーブルの一部を折り返して挿入させる折返し挿入部および挿入させた前記ケーブルを配線方向に挿通させる挿通孔を備える第２の収納部と、
を備えることを特徴とする、請求項１に記載のケーブル装置。
【請求項３】
前記第１の収納部は、内部に収納された前記ケーブルの折返し部分を変位させて前記積層部分の長さを増減させることで、前記ケーブルの配線長さが調整されることを特徴とする、請求項２に記載のケーブル装置。
【請求項４】
さらに、前記接触支持部のケーブル配線方向に対して所定の角度方向に配置され、前記接触支持部を通過して前記角度方向に折り返した前記ケーブルを取り込んで支持する変位支持部と、
を備えることを特徴とする、請求項１ないし請求項３のいずれかに記載のケーブル装置。
【請求項５】
コネクタを備える基板と、
前記コネクタに接続されるケーブルと、
配線方向に沿った折り返しにより形成される前記ケーブルの積層部分を覆い、該積層部分への接触により前記ケーブルを支持する接触支持部と、
を備え、
前記接触支持部は、前記ケーブルの折返し位置を変位可能に支持することで前記ケーブルの配線長さを調整させることを特徴とする、電子装置。
【請求項６】
コネクタ間に連結されたケーブルに対するケーブル長調整方法であって、
配線方向に沿った折り返しにより前記ケーブルに積層部分を形成し、
接触により前記ケーブルを支持する接触支持部で前記積層部分を覆い、
前記接触支持部が設置された前記ケーブルの折返し位置を変位させることで前記ケーブルの配線長さを調整させる、
処理を含むことを特徴とする、ケーブル長調整方法。
【発明の詳細な説明】
【技術分野】
【０００１】
本発明は、コネクタ同士の接続にケーブルを用いるケーブル装置、電子装置およびケーブル長調整方法に関する。
【背景技術】
【０００２】
電子装置は、複数の基板を内蔵するものや多数の機能部品が設置されるものがあり、これらの基板間や機能部品間でデータ信号や指示信号を送受信させるために、コネクタを備えたケーブルが利用される。このケーブルは、たとえば電子装置の小型化や多機能化による実装部品数の増加によって、設置スペースが狭小化したことにより、折曲げたり、巻回させるなど、変形させて設置されるものがある。
【０００３】
このような実装部品の接続状態に関し、電子部品が実装される回路基板を変形可能な部材で形成し、その一部を折曲げて実装部品を接続させて電子装置に設置するものが知られている（たとえば、特許文献１）。また、複数の信号線が配線されたフレキシブル基板に対し、利用する機能に応じて信号線を切断するものが知られている（たとえば、特許文献２）。また、束線部状に複数の配線をヘアピン状に形成するとともに、その境界部分を分離可能にすることで、配線長さに応じて束線部を分離展開させることで、長さ調整を行うものが知られている（たとえば、特許文献３）。
【先行技術文献】
【特許文献】
【０００４】
【特許文献１】特開２００４−１３３９０９号公報
【特許文献２】特開２００１−１４８５４９号公報
【特許文献３】特開平５−３２７１３６号公報
【発明の概要】
【発明が解決しようとする課題】
【０００５】
ところで、電子装置では、同一の機能を備えるものであっても製造時期や機種の相違などにより内蔵される機能部品の配置位置や基板上の実装位置およびコネクタの向きなどが異なるものがある。そのため、基板と機能部品、または複数の基板同士をケーブルで接続する電子装置では、機種毎に長さを調整した専用ケーブルを設計する必要があった。しかし、機種毎に専用ケーブルを用いるのでは、その設計負荷が増加するほか、専用ケーブルの製造作業が必要となり、利便性に欠けるという課題がある。
【０００６】
また、電子装置は、内部に配置させるケーブルの余長調整に対し、折曲げ位置や配線形状などを設定することで効率よく実装させることが図られている。しかしケーブルは、たとえば外装側に弾性力を持った絶縁性の樹脂などのコーティングが施されるため、配線作業時に復元してしまう場合や、電子装置を携帯した場合などに折曲げ状態が解除してしまう場合がある。また、小型化し、かつ多数の部品が搭載された電子装置では、ケーブルの折曲げ作業や配置作業が複雑化し、設定された位置への配置や余長調整に手間がかかるという課題がある。
【０００７】
しかし、ケーブルの折曲げ処理では、過大な力がかけられることによる断線などを防止するために、折り目を形成するように加工することはできない。そして、電子装置は、振動などによって変動したケーブルが基板や他の機能部品などに接触した場合、故障の原因になるおそれがある。また、折曲げ状態が解除されたケーブルの余長部が電子装置内で変位した場合、接続されたコネクタ同士に強い遠心力などが作用することでコネクタの分離などが生じるおそれがある。
【０００８】
そこで、本開示のケーブル装置、電子装置およびケーブル長調整方法の目的は、電子装置の組立てにおけるケーブル配線の作業性の向上を図ることにある。
【０００９】
また、本開示のケーブル装置、電子装置およびケーブル長調整方法の他の目的は、電子装置内部におけるケーブルの配線状態を維持させて、電子装置の機能が損なわれるのを阻止することにある。
【課題を解決するための手段】
【００１０】
上記目的を達成するため、本開示の構成の一側面は、ケーブルと、接触支持部とを備える。ケーブルは、コネクタ間に連結される。接触支持部は、配線方向に沿った折り返しにより形成された前記ケーブルの積層部分を覆い、該積層部分への接触により前記ケーブルを支持する。そして、前記接触支持部は、前記ケーブルの折返し位置を変位可能に支持することで前記ケーブルの配線長さを調整させる。
【発明の効果】
【００１１】
本開示のケーブル装置、電子装置またはケーブル長調整方法によれば、次のいずれかの効果が得られる。
【００１２】
(1) 接触支持部がケーブルの折返しによる積層部分を覆い、その積層部分に接触することで、折り返したケーブルが復元状態になるのを阻止し、組立て作業効率の向上および作業の容易化を図ることができる。
【００１３】
(2)  接触支持部の接触により折返し形状を維持させ、この折返し位置を変位させることで配線長さを調整でき、狭小な配置スペースの場合に対しても組立て品質の向上を図れる。
【００１４】
(3)  接触支持部によって折曲げ位置および積層状態を維持させることで、反力などによるケーブルの配置位置の変位やコネクタの分離などを阻止し、電子装置の信頼性の向上が図れる。
【００１５】
そして、本発明の他の目的、特徴および利点は、添付図面および各実施の形態を参照することにより、一層明確になるであろう。
【図面の簡単な説明】
【００１６】
【図１】第１の実施の形態に係るケーブル装置の構成例を示す図である。
【図２】第２の実施の形態に係るケーブル装置の構成例を示す図である。
【図３】基板にケーブル装置が設置された電子装置の構成例を示す図である。
【図４】基板にケーブル装置が設置される他の電子装置の構成例を示す図である。
【図５】ケーブル長が設定された電子装置の構成例を示す図である。
【図６】ケーブル長調整処理の一例を示すフローチャートである。
【図７】第３の実施の形態に係るケーブル装置の構成例を示す図である。
【図８】支持ホルダの外観構成例を示す図である。
【図９】支持ホルダを利用したケーブル長調整構造例を示す図である。
【図１０】ケーブル長調整処理の一例を示すフローチャートである。
【図１１】第４の実施の形態に係るケーブル装置の構成例を示す図である。
【図１２】支持ホルダの構成例を示す図である。
【図１３】ケーブルの折返し状態例を示す図である。
【図１４】支持ホルダの外観構成例を示す図である。
【図１５】支持ホルダおよびガイドホルダ内に挿通させるケーブルの状態例を示す図である。
【図１６】ケーブルに生じる反力の状態例を示す図である。
【図１７】電子装置の構成例を示す分解図である。
【図１８】ケーブル装置を備える第１の基板の構成例を示す図である。
【図１９】ケーブル装置を備える第２の基板の構成例を示す図である。
【図２０】ケーブル長の調整状態例を示す図である。
【図２１】ケーブル設置処理の一例を示すフローチャートである。
【図２２】その他の実施の形態に係るケーブル装置の構成例を示す図である。
【発明を実施するための形態】
【００１７】
〔第１の実施の形態〕
【００１８】
図１は、第１の実施の形態に係るケーブル装置の構成例を示している。図１に示す構成は一例であり、本発明が斯かる構成に限定されるものではない。
【００１９】
図１に示すケーブル装置２は、本開示のケーブル装置の一例であり、設置距離が異なるコネクタＡ、コネクタＢまたはコネクタＣに対して連結させるケーブル４の配線距離を調整可能に支持する手段である。コネクタＡ、コネクタＢ、コネクタＣは、たとえば単一または異なる基板上に設置された端子部品であり、ケーブル４によって電気的に接続されることで連動して動作する機能部品に接続されている。
【００２０】
ケーブル４は、たとえば単数または複数の信号線が同軸上に結束され、または平板上に連結されており、屈曲または折曲げにより変形可能に形成されている。またケーブル４の両端側には、コネクタＡ、コネクタＢ、コネクタＣと接続可能な端子部品がそれぞれ設置または形成されている。そして端子部品は、コネクタＡ、コネクタＢまたはコネクタＣの接続部に向けて挿入されることで、コネクタＡ、コネクタＢまたはコネクタＣと連結される。
【００２１】
ケーブル装置２は、配線方向に沿って折り返されることで積層されたケーブル４の積層部分８に対して設置される接触支持部６を備えている。接触支持部６は、たとえば、複数層で形成されたケーブル４の積層部分８の最上面または、少なくとも下から２層目以上の上面を覆い、下層側のケーブル４に接触して支持する。この接触支持部６は、たとえば図示しない基板や、この基板が設置される電子装置の筐体の一部に対し、接着などの手段によって固定してもよい。
【００２２】
＜ケーブル装置２による配線距離の調整について＞
【００２３】
接触支持部６は、たとえば少なくともケーブル４の配線方向に沿って形成される第１の折返し部１０または第２の折返し部１２の折返し位置を変位可能に支持しており、この折返し位置の変位によりケーブル４の配線長さを変位させ、余長調整を可能にしている。ケーブル装置２は、たとえば図１のＡに示すように、コネクタＡとコネクタＢとをケーブル接続している。このときケーブル４は、配線長さがコネクタＡとコネクタＢとの間の距離Ｌ１になるように、第１の折返し部１０と第２の折返し部１２との間を距離Ｌ２となるように設定されている。
【００２４】
また図１のＢに示すように、このケーブル装置２は、コネクタＡとコネクタＣとをケーブル接続させる場合、積層部分８を利用した余長調整によりケーブル４の配線距離が調整される。コネクタＡからコネクタＣまでの配線の距離Ｌ３は、たとえばコネクタＡからコネクタＢとの間の配線の距離Ｌ１よりも長く設定されている。
【００２５】
ケーブル装置２は、たとえば接触支持部６によってケーブル４の積層部分８の位置を維持させている。そして接触支持部６は、たとえば積層されたケーブル４の一部がコネクタＣの方向に向けて配線方向に沿ってスライドされるのに対し、積層部分８の上面側に接触して積層形状を維持させる。このとき、ケーブル４は、たとえばコネクタＣ側に向けたスライドに対し、第１の折返し部１０が接触支持部６の一部に形成されたストッパ１４に接触する。ストッパ１４は、たとえば接触支持部６側に向けて変位する第１の折返し部１０に接触して、第１の折返し部１０の変位を制限する手段であり、たとえば第１の折返し部１０に対する接触リブなどを形成してもよく、またはケーブル４の積層間を仕切る仕切板を形成してもよい。
【００２６】
ケーブル４は、第２の折返し部１２が第１の折返し部１０側に向けて変位する。そして、ケーブル４は、第１の折返し部１０と第２の折返し部１２との間の距離Ｌ４にすることで、ケーブル４の端部がコネクタＣに接続可能な位置に配置される。この距離Ｌ４は、距離Ｌ２よりも短い状態となる。
【００２７】
すなわち、ケーブル装置２によるケーブル４の配線長さ設定では、コネクタ間の距離が増大するほどケーブル４の積層部分８の折返し部分の距離を減少させ、またはコネクタ間の距離が減少するほどケーブル４の積層部分８の折返し部分の距離を増大させる。ケーブル装置２は、たとえばコネクタＡと接触支持部６の距離を一定に維持させ、長さ調整の基準位置に設定する。そしてコネクタＣに対してケーブルの一端を配線方向に沿って引張り、または押し込むことで、第１の折返し部１０または第２の折返し部１２を変位させて余長を調整する。
【００２８】
なお、この実施の形態では、ケーブル装置２を接続対象として、コネクタＡを基準に一方の端子をコネクタＢとコネクタＣとの間で切替える場合を示したが、コネクタＡ側を他のコネクタに切替えてもよい。その場合、ケーブル装置２は、たとえば一端側のコネクタへの接続位置を基準に接触支持部６の配置位置や折返し部の位置を設定すればよい。
【００２９】
斯かる構成によれば、接触支持部６は、長さ調整処理において、たとえばケーブル４の上面に接触させることで、たとえばケーブル４の一部が撓みなどを生じることで積層状態が崩れるのを阻止している。また、接触支持部６は、ケーブル４の折返しによる積層部分８を覆い、その積層部分８に接触することで、折り返したケーブルが復元状態になるのを阻止し、ケーブル配線作業の効率性の向上および作業の容易化を図ることができる。接触支持部６の接触により、ケーブル４の折返し形状を維持させることで、狭小な配置スペースの場合に対しても組立て品質の向上を図れる。接触支持部６によって折曲げ位置および積層状態を維持させることで、コネクタからケーブル４が分離するのを阻止し、ケーブル装置２が搭載される電子装置の信頼性の向上が図れる。
【００３０】
〔第２の実施の形態〕
【００３１】
図２は、第２の実施の形態に係るケーブル装置の構成例を示している。図２に示す構成は一例である。
【００３２】
図２に示すケーブル装置２０は、本開示のケーブル装置の一例であり、たとえばケーブル４の端部にコネクタ部２２が接続されている。また、ケーブル装置２０は、ケーブル４の配線方向に対して変位可能に設置されたケーブル支持部２４を備えている。
【００３３】
ケーブル支持部２４は、ケーブル４の配線長さ調整において、折曲げて積層されたケーブル４を結束させるとともに、折曲げ位置およびその形状を維持させる接触支持部の一例である。ケーブル支持部２４は、たとえばケーブル４の一部を包囲する支持本体部２６と、この支持本体部２６に連結され、図示しない基板などに対して固定される固定部２８を備えている。
【００３４】
支持本体部２６は、たとえば弾性力を持った樹脂材料で平板状に形成され、ケーブル４の一部の側面側から一定の開口径でケーブル４を包囲して設置されている。そして支持本体部２６は、ケーブル４の対向側において両端面を接合させて固定されている。支持本体部２６の開口径は、少なくともケーブル４が２枚以上嵌合可能に設定されており、後述するように積層された複数本のケーブル４を結束して支持する。支持本体部２６を、包囲したケーブル４に沿って変位させることで、ケーブル４の折曲げ位置や固定位置が設定される。支持本体部２６がケーブル４を包囲して接合された固定部分にケーブル支持部２４の固定部２８が複数個設置される。固定部２８は、たとえば基板に対し、はんだ付けされることでケーブル支持部２４を固定設置させる。
【００３５】
＜ケーブル装置２０が設置される電子装置について＞
【００３６】
図３は、基板にケーブル装置が設置された電子装置の構成例を示している。図３に示す構成は一例である。
【００３７】
図３に示す電子装置３０は、ケーブル装置２を利用したケーブル接続によりデータ通信などを行う基板Ａを備えている。基板Ａには、たとえばケーブル４の一端側に設置されたコネクタ部２２が係止される。またケーブル４の他端側は、たとえば電子装置３０内に設置される図示しない他の基板や、他の機能部品などに接続される。この電子装置３０では、たとえば接続されるケーブル４が予め長さ設定が施されることなどにより、ケーブル４の他端側の機能部品に対してケーブル４に余長が発生しない状態となっている。
【００３８】
このとき、電子装置３０に設置されたケーブル装置２０のケーブル支持部２４は、たとえば基板Ａ上に対し所定の設置位置が設定されている。そこで、ケーブル支持部２４は、たとえばケーブル４を貫通させた支持本体部２６をケーブル４に沿ってケーブル配線方向にスライドさせる。そして、ケーブル装置２０は、支持本体部２６が所定の設置位置に達すると、たとえば固定部２８が基板Ａの一部に密着され、基板Ａとの間に接着部材やはんだ付けなどによって固定させる。
【００３９】
なお、ケーブル装置２０の固定位置は、基板Ａの一部に限られず、たとえば電子装置の筐体の一部や他の機能部品の外装部分などに接着してもよい。
【００４０】
＜他の電子装置に対するケーブル装置２０の設置について＞
【００４１】
図４は、基板にケーブル装置２０が設置される他の電子装置の構成例を示す図である。図４に示す内容および構造は一例である。
【００４２】
図４に示す電子装置４０は、本開示の電子装置の一例であり、たとえばケーブル４の一端側に形成されたコネクタ部２２を接続させるコネクタ４４が設置された基板Ｂを備えている。この電子装置４０は、たとえば電子装置３０と同一の機能を備えたものであってもよく、たとえば搭載される基板Ｂについて、少なくとも図示しない他のコネクタに対するコネクタ４４との配線距離が異なる。そのため、電子装置４０は、電子装置３０と同一のケーブル装置２０を利用してケーブル接続を行う場合、ケーブル４の配線長さ調整を行う。
【００４３】
この実施の形態では、ケーブル装置２０は、電子装置３０に対して予め長さ調整がされており、基板Ｂのコネクタ４４は、基板Ａのコネクタ３４よりも配線距離が短い場合を示す。そこで、ケーブル装置２０は、たとえばコネクタ部２２をコネクタ４４の位置に合わせるほか、図示しない他端側のコネクタ部を他のコネクタの位置に配置させて基準の設置位置を設定すればよい。
【００４４】
ケーブル装置２０は、たとえばケーブル４のコネクタ部２２が基板Ｂのコネクタ４４に接続可能な位置に配置されると、ケーブル４の一部に生じる余長部分を配線方向に沿って折返して積層部分を形成する。ケーブル４の折返し処理では、たとえば少なくとも２回折返すことで、第１の折返し部４６と第２の折返し部４８を形成して積層させる。そして、ケーブル４は、たとえば第２の折返し部４８をコネクタ部２２側に向けて変位させることで積層部分が厚さ方向に圧縮され、余長が調整される。
【００４５】
ケーブル支持部２４は、ケーブル４の積層部分の形成位置に配置され、たとえばケーブル４の第１の折返し部４６と第２の折返し部４８との間に支持本体部２６を介在させる。ケーブル支持部２４は、固定部２８が基板Ｂ上の設定された位置に対して固定されることで、支持本体部２６によりケーブル４の積層部分の一部を基板Ｂとの間に押し付ける。
【００４６】
このようにケーブル４は、折返し処理、余長調整処理およびケーブル支持部２４の設置処理が行われることで、図５に示すように基板Bに設置され、コネクタ部２２がコネクタ４４に接続される。ケーブル支持部２４およびケーブル４は、基板Ｂに設定されたケーブル配置領域に固定されることで、基板Ｂに実装される他の機能部品との接触などの干渉が阻止される。
【００４７】
＜ケーブル長調整処理について＞
【００４８】
図６は、ケーブル長調整処理の一例を示している。図６に示す処理手順、処理内容は一例であり、斯かる構成に本発明が限定されるものではない。
【００４９】
図６に示すケーブル長調整処理は、本開示のケーブル長調整方法の一例であり、ケーブル装置２０の配置、ケーブル４の配線、折返し位置の設定、ケーブル支持部２４の配置、折返し処理およびケーブル余長調整処理などが含まれる。
【００５０】
コネクタ４４の位置に合わせてケーブル４の配置位置を設定する（Ｓ１）。ケーブル４は、コネクタ部２２をコネクタ４４に合わせることで配線距離に対するケーブル４の余長が明確化される。このとき、ケーブル４のコネクタ部２２は、基板Ｂのコネクタ４４に接続させてもよい。ケーブル４を折曲げて折返し部４６、４８を形成し、その折返し部４６、４８に応じてケーブル支持部２４を配置させる（Ｓ２）。ケーブル支持部２４は、たとえば折返し部４６、４８の間であるとともに、基板Ｂに設定された領域内に合わせて配置される。
【００５１】
ケーブル４の折返しでは、たとえばコネクタ部２２側から一定の長さの部分でケーブル４をコネクタ部２２の方向に向けて下層側に折り、第１の折返し部４６を形成する。折返し後に一定の長さをとり、配線先の図示しない他のコネクタ側に向けて下層側に折返して第２の折返し部４８を形成する。
【００５２】
なお、ケーブル４の折返しとケーブル支持部２４の配置処理は、同時に行ってもよく、またはケーブル４上において、基板Ｂに設定される領域に応じた位置にケーブル支持部２４を配置させた後にケーブル４を折返してもよい。
【００５３】
折返しによりケーブル４の積層形状が形成されると、ケーブル４の余長調整が行われる（Ｓ３）。ケーブル４は、たとえば第２の折返し部４８側の配線方向への変位により積層部分を圧縮させ、撓みなどを解消させることで、余長が調整される。
【００５４】
ケーブル支持部２４の固定部２８を基板Ｂの設定位置に固定して（Ｓ４）、ケーブル長調整処理が完了する。
【００５５】
なお、上記のケーブル支持部２４は、支持本体部２６をケーブル４の積層部分に対し、第１の折返し部４６と第２の折返し部４８との間の中段部分に配置したがこれに限られない。ケーブル支持部２４は、たとえば支持本体部２６を積層部分の最上段に配置させて、ケーブル４の積層位置を固定させてもよい。また、ケーブル支持部２４によるケーブル４の固定位置は、基板Ｂ上に限られず、たとえば電子装置４０の他の機能部品、または筐体の一部であってもよい。また、ケーブル４の余長調整では、第２の折返し部４８を変位させる場合に限られず、第１の折返し部４６を変位させてもよい。
【００５６】
斯かる構成によれば、ケーブル支持部２４は、ケーブル４に沿って変位可能に設置されることで、ケーブル装置２０を利用する機器に設定された固定位置に応じて、ケーブル４の積層位置の調整が可能になり、ケーブル装置２０の利便性が高められる。支持本体部２６がケーブル４の折返し形状を維持させるとともに、折返し部４６、４８を変位させることで配線長さを調整でき、電子装置４０の組立て品質の向上を図れる。基板に固定された支持本体部２６によってケーブル４の積層部分の少なくとも２層以上に接触することで、ケーブル４の反力などに対してケーブルの配置位置の変位やコネクタの分離などを阻止できる。
【００５７】
〔第３の実施の形態〕
【００５８】
図７は、第３の実施の形態に係るケーブル装置の構成例を示している。図７に示す構成は一例である。
【００５９】
図７に示すケーブル装置５０は、本開示のケーブル装置の一例であり、複数回の折り返しによって積層されるケーブル４を収納する支持ホルダ５２を備えている。支持ホルダ５２は、本開示の接触支持部の一例であり、たとえば折り返したケーブル４を内部に収納する第１の収納部５４、第２の収納部５６を備えている。第１の収納部５４は、たとえば第２の収納部５６に対し上部側または下部側に形成されることで、支持ホルダ５２の内部においてケーブル４を長さ調整のための積層状態に支持することができる。
【００６０】
＜支持ホルダ５２の構成例について＞
【００６１】
第１の収納部５４は、折返し部１２が形成された積層状態のケーブル４の一部を収納して支持する手段であり、たとえば内部側に折返し部１２を配置させる。この収納部５４には、一端側に開口部５８が形成されており、この開口部５８を通じて折返し部１２からケーブル４の一部が収納部５４に挿通される。折返し部１２は、第１の収納部５４の内部において変位可能な状態で収納されており、ケーブル長調整処理では、ケーブル４の配線長さの調整または余長を吸収させるのに応じて、配置位置が変位される。
【００６２】
第１の収納部５４は、内部に折返し部１２を配置させることで、ケーブル４が少なくとも２段以上収納される。収納されたケーブル４は、たとえば積層状態の下層側が収納部５４の底面に沿って配置されるとともに、上層側が収納部５４の天井部分に沿って配置される。これにより、ケーブル４は、収納部５４の内部において、積層状態が維持される。
【００６３】
そのほか、支持ホルダ５２は、たとえば開口部５８に対して対向側に、第１の収納部５４から第１の折返し部１２を離脱させないために、ストッパ壁６２が形成される。ストッパ壁６２は、たとえば第２の収納部５６を形成する筐体外装の一部を下げ、第１の収納部５４の突き当り部分で折返し部１２に接触可能に形成されている。
【００６４】
第２の収納部５６は、第１の収納部５４の開口部５８と同方向に折返し挿入部６０が形成され、開口部５８から突出したケーブル４の一層を取り込んで接続先のコネクタ側に導く手段の一例である。第１の収納部５４内の上層側に沿って配置され、開口部５８から突出したケーブル４は、たとえば、折返し挿入部６０の前面側で折り返されることで、折返し部１０が形成される。第２の収納部５６には、折返し部１０によって方向転換したケーブル４が取り込まれる。そして、第２の収納部５６に取り込まれたケーブル４は、折返し挿入部６０の対向側の挿通孔６４から外部に配線される。
【００６５】
また、支持ホルダ５２は、図８に示すように、開口部５８と折返し挿入部６０との間に折返し部１０が支持ホルダ５２側にスライドするのを阻止するストッパ面６５が備えられている。このストッパ面６５は、たとえば第１の収納部５４と第２の収納部５６とを仕切る仕切板の一部で形成されている。このストッパ面６５により、ケーブル４は、第１の折返し部１０のスライド範囲が制限されることで、折り畳みによる積層形状を維持させることができる。すなわち、ストッパ面６５は、たとえばケーブル長調整において、ケーブル４の一端側のみが引張られた場合に、第１の折返し部１０に接触して変位量を制限することで、折返し部１０が延ばされ、ケーブル４の折返し状態が解除されるのを阻止する。
【００６６】
支持ホルダ５２は、たとえば第１の収納部５４および第２の収納部５６に対し、それぞれの側面側に沿ってスリット７０、７４が形成されている。そしてこのスリット７０、７４には、それぞれ爪部７２、７６が形成される。スリット７０、７４は、支持ホルダ５２内に対するケーブル４の挿入手段の一例である。ケーブル４は、たとえば第１の収納部５４または第２の収納部５６側から順に開口部５８および折返し挿入部６０を通じ、挿通孔６４に向けて配線させる場合に限られない。ケーブル４は、たとえば予め折返し部１０、１２を形成した後に、スリット７０、７４から収納部５４、５６に対してスライド挿入させてもよい。爪部７２、７６は、収納部５４、５６に配置されたケーブル４をスリット７０、７４から外部に離脱させないように係止させる。
【００６７】
＜支持ホルダ５２を利用したケーブル長調整について＞
【００６８】
図９は、支持ホルダを利用したケーブル長調整構造例を示している。図９に示す構成は一例である。
【００６９】
ケーブル装置５０は、図９のＡに示すように第１の収納部５４内に第２の折返し部１２を開口部５８から深い位置に配置させることで、ケーブル４の配線距離を短くする。ケーブル４は、第１の折返し部１０と第２の折返し部１２との距離Ｌ５を長く取ることで、ケーブル４の全長に対する積層される部分が多くなり、配線距離が短くなる。すなわち、ケーブル装置５０は、積層距離Ｌ５を長くすることで、コネクタ間の距離が短い場合に対応してケーブル４の余長を吸収させることができる。
【００７０】
また、ケーブル装置５０は、図９のＢに示すように、第１の収納部５４内に第２の折り返し部１２を開口部５８から浅い位置に配置させることで、ケーブル４の配線距離を長くする。ケーブル４は、第１の折返し部１０と第２の折返し部１２との距離Ｌ６で積層させている。ケーブル４の距離Ｌ６は、上記の積層距離Ｌ５に対して距離Ｌ７分だけ短い。これによりケーブル装置５０は、距離Ｌ７分の積層部分が無くなることで、略距離Ｌ７の２倍分長く配線距離を取ることができる。
【００７１】
なお、図９は、第１の折返し部１０の配置位置を固定した場合のケーブル装置５０の配線距離の比較例であり、ケーブル装置５０の配置位置や配線経路などに応じて、ケーブル４の長さ調整状態は異なる。
【００７２】
＜ケーブル長調整処理について＞
【００７３】
図１０は、支持ホルダを利用した場合のケーブル長調整処理例を示すフローチャートである。図１０に示す処理内容、処理手順等は一例である。
【００７４】
この処理は、本開示のケーブル長調整方法の一例であり、支持ホルダ５２へのケーブル４の設置処理、コネクタの配置処理、ケーブル長の調整処理が含まれる。支持ホルダ５２を基板や電子装置の筐体など、設定された位置に配置させる（Ｓ１１）。支持ホルダ５２は、たとえば基板などに固定してもよい。次に、支持ホルダ５２に対しケーブル４を設置させる（Ｓ１２）。ケーブル４は、支持ホルダ５２の第１の収納部５４および第２の収納部５６に対して、折返し部１０、１２を形成して挿通される。ケーブル４は、たとえば予め折返し加工が施されてから、スリット７０、７４を通じて支持ホルダ５２内に設置させればよい。
【００７５】
ケーブル４の両端のコネクタ部を接続先のコネクタに合わせて配置させる（Ｓ１３）。この配置処理によりケーブル装置５０は、ケーブル４の配線長さが設定される。そして、ケーブル装置５０は、ケーブル長の調整処理を行う（Ｓ１４）。ケーブル装置５０は、たとえば設定されたケーブル４の配線長さに基づき、ケーブル４の一部に形成される余長または配線長さの不足分に対し、支持ホルダ５２内の折返し部１０、１２を変位させて長さ調整を行う。
【００７６】
斯かる構成によれば、ケーブル４の折返しによる積層部分を覆う支持ホルダ５２によって収納して保持させることで、電子装置の携帯などによる振動に対し、ケーブル４や他の実装部品などの損傷を防止できる。変位させない折返し部１０を第１の収納部５４と第２の収納部５６とに跨らせて配置させ、ストッパ面６５を介在させることで、ケーブル４の積層形状を維持でき、ケーブルの長さ調整の容易化および長さの維持が図れる。各収納部５４、５６に配線方向に沿ってスリット７０、７４を設けることで、支持ホルダ５２に対するケーブル４の設置作業の容易化を図ることができる。
【００７７】
〔第４の実施の形態〕
【００７８】
図１１は、第４の実施の形態に係るケーブル装置の構成例を示している。図１１に示す構成は一例である。
【００７９】
図１１に示すケーブル装置８０は、たとえば既述の支持ホルダ５２を備えるとともに、ケーブル４の一部をコネクタ方向に折曲げて支持するガイドホルダ８２を備えている。ガイドホルダ８２は、コネクタに対するケーブル４の配線方向に対し、折返し処理が施されたケーブル４の支持固定を行う変位支持部の一例である。
【００８０】
ガイドホルダ８２は、たとえば支持ホルダ５２の挿通孔６４側に設置され、支持ホルダ５２と載置部８４を介して連結させてもよく、または支持ホルダ５２から離れて設置してもよい。載置部８４は、ケーブル４をガイドホルダ８２側に向けて方向転換させる折返しエリアとして機能させており、ケーブル４の折返し部８６を載置させている。この載置部８４は、たとえば支持ホルダ５２による配線方向線と、ガイドホルダ８２による配線方向線との交点上に形成されることで、折返し部８６に対して過大な負荷や折返し状態の解除、ケーブル４の撓みの発生などを阻止する。
【００８１】
＜ガイドホルダ８２の形状について＞
【００８２】
ガイドホルダ８２は、たとえば図１２に示すように、中空状に形成され、内部にケーブル４を挿通させる収納部８８が形成される。また収納部８８には、たとえば側面側にケーブル４の配線方向に沿って、スリット９０およびそのスリット９０の端部側に係止爪９２が形成される。
【００８３】
支持ホルダ５２およびガイドホルダ８２によって配線されるケーブル４は、たとえば図１３に示すように、図示しない接続先のコネクタ間を繋ぐ配線経路に沿って支持される。そして、ケーブル４は、支持ホルダ５２により折返し部１０、１２が形成されて長さ調整を可能にしている。また、支持ホルダ５２から一方のコネクタ側に向けて折返し部８６を形成し、指向されたケーブル４は、折返し部８６の近傍でガイドホルダ８２に収納されることで、折返し形状の維持や配線方向が一定に維持される。
【００８４】
折返し部８６の成形は、たとえば支持ホルダ５２によるケーブル４の配線方向に対し、ケーブル４の一端側を下方側に向けて折り、さらに接続先のコネクタの方向に向けて折る。これによりケーブル４は、折返し部８６を境にしてコネクタ方向に指向されたケーブル４同士が積層状態となる。また、折返し部８６の成形では、たとえばガイドホルダ８２に支持されたケーブル４を上方に向けて折り、さらに支持ホルダ５２側に向けて折り返してもよい。この折返し手順によっても、ケーブル４は、折返し部８６において積層状態となる。
【００８５】
ガイドホルダ８２は、例えば図１４のＡに示すように、ケーブル４の配線方向に応じて支持ホルダ５２に対する接続角度が設定され、その接続角度に応じて載置部８４の載置面積が設定される。ガイドホルダ８４は、たとえば収納部８８から載置部８４側に対して、ケーブル４を導く開口部９４や、ケーブルの配線方向に向けて開口され、ケーブル４を通過させる開口部９６が形成されている。ガイドホルダ８２は、たとえば図１４のＢに示すように、収納部８８の天井部分が支持ホルダ５２の天井部分と同等の高さに設定されており、挿通孔６４を通じて配線されるケーブル４を開口部９４に対して取り込み易く形成されている。
【００８６】
また、ガイドホルダ８２の底部側および載置部８４は、たとえば図１４のＣに示すように、第２の収納部５６よりも低く設定されることで、ケーブル４の載置高さが第２の収納部５６よりも下げられる。これによりガイドホルダ８２は、図１５に示すように開口部９４を通過するケーブル４の配線高さを変えずに、下方側に向けて折り返された折返し部８６を収納可能な配置高さに設定されている。
【００８７】
このような配置高さに設定することで、ガイドホルダ８２は、たとえば図１６に示すように、下方側に向けて折り返されたケーブル４の一部に生じるガイドホルダ８２の底面側に向けた反力を受け止める。この反力は、たとえばケーブル４の折返し部８６による復元力が含まれる。また、支持ホルダ５２は、たとえば第１の収納部５４内において、底面側に向けたケーブル４の反力に対抗して支持するとともに、第２の収納部５６において、上方に向けて生じる反力に対抗している。この反力は、たとえば第１の折返し部１０および第２の折返し部１２の形成によって生じる復元力およびケーブル４の配線長さ調整において、引張りまたは押し込み方向の力に対する復元力などが含まれる。支持ホルダ５２およびガイドホルダ８２は、これらのケーブル４に生じる反力を受け止めて、ケーブル４に対して接触することで積層部分の形状、位置を維持させる。
【００８８】
＜電子装置の構成例について＞
【００８９】
図１７は、ケーブル装置８０を含む電子装置の構成例を示している。図１７に示す構成は一例である。
【００９０】
図１７に示す電子装置１００は、本開示の電子装置の一例であり、たとえば内部に電子部品を収納する筐体として、前面ケース１０２、背面ケース１０８および背面パネル１１２を備えている。この筐体の内部には、たとえばケーブル装置８０や基板１０４、電池１１０のほか、図示しない機能部品が設置される。基板１０４には、少なくともケーブル装置８０の一端側のコネクタ部１２０と接続するコネクタ１０６が実装されている。そして、ケーブル装置８０の他端側のコネクタは、たとえば電池１１０や前面ケース１０２側に設置されるＬＣＤ（Liquid Crystal Display）表示器１１４やタッチパネルなどの機能部品に接続される。
【００９１】
＜基板１０４に対するケーブル装置８０の実装状態例について＞
【００９２】
図１８および図１９は、コネクタの実装位置が異なる基板に応じてケーブル４の長さを調整するケーブル装置の実装状態例を示している。
【００９３】
図１８に示すコネクタ１０６Ａは、たとえば基板１０４Ａの一端側の中央付近に実装されている。そしてケーブル４の配線経路は、たとえば基板１０４Ａの下端側の中央付近から上方に向けて直線状に挿通された後、基板１０４Ａの中心付近でコネクタ１０６Ａ側に向けて折り返されるように設定されている。このときのケーブル４の基板１０４Ａの端部からの配線経路は、たとえば図２０のＡに示すように縦方向の長さをＹ１、横方向の長さをＸ１とする。
【００９４】
また図１９に示すコネクタ１０６Ｂは、たとえば基板１０４Ｂの一端側の上方に実装されている。そしてケーブル４の配線経路は、たとえば基板１０４Ａと同等の位置から直線状に挿通された後、コネクタ１０６Ｂ側に向けて折り返されて配線されている。このときのケーブル４の基板１０４Ｂの端部からの配線経路は、たとえば図２０のＢに示すように縦方向の長さをＹ２、横方向の長さをＸ２とする。
【００９５】
ケーブル４の配線長さは、たとえば縦方向に関して基板１０４Ｂの方が長く設定されており、Ｙ２＞Ｙ１の関係になっている。また、横方向に関する配線長さは、基板１０４Ａの方が長く設定され、Ｘ１＞Ｘ２の関係になっている。このような配線経路の設定に対し、ケーブル装置８０は、支持ホルダ５２内の折返し部１２を基準として第１の収納部５４側からのケーブル４の配線長さを変えることで、縦方向および横方向に対する長さを調整する。
【００９６】
また、ケーブル４の長さ調整として、たとえば基板１０４Ａの配線長さ（Ｘ１＋Ｙ１）と基板１０４Ｂの配線長さ（Ｘ２＋Ｙ２）を異ならせる場合、ケーブル装置８０は、支持ホルダ５２内の折返し部１２の位置を変位させることで、ケーブル４の全長を増減させる。これにより、ケーブル装置８０は、基板１０４Ａまたは基板１０４Ｂに対するケーブル配線処理において、余長または不足分を調整する。
【００９７】
＜支持ホルダ５２およびガイドホルダ８２を利用したケーブル設置処理について＞
【００９８】
図２１は、ケーブル設置処理の一例を示すフローチャートである。図２１に示す処理内容、処理手順は一例である。
【００９９】
図２１に示すケーブル設置処理は、本開示のケーブル長調整方法の一例であり、ガイドホルダ８２および支持ホルダ５２へのケーブル４の設置処理、ケーブル長の調整処理が含まれる。そこで、所定位置に配置されたガイドホルダ８２に対し、ケーブル４の一部を挿通させる（Ｓ２１）。次にガイドホルダ８２の近傍で、ケーブル４の一部を支持ホルダ５２側に向けて折曲げる（Ｓ２２）。ケーブル４は、たとえばガイドホルダ８２の開口部９４から載置部８４側に配置された部分を基準に上方側に折られた後に、支持ホルダ５２側に向けて折り返えされることで配線方向に指向させる。
【０１００】
折り返されたケーブル４は、支持ホルダ５２内に挿通させた後、支持ホルダ５２側で折返しが行われ、第１の折返し部１０および第２の折返し部１２を形成する（Ｓ２３）。ケーブル４は、たとえば支持ホルダ５２に対し第２の収納部５６内に挿通されたのち、折返し挿入部６０側に配置させる。そして、ケーブル４は、たとえば第１の折返し部１０を形成して、第１の収納部５４内に挿入されればよい。
【０１０１】
ケーブル４は、両端側に設置されたコネクタ部を接続先のコネクタと接続可能な位置に配置させる（Ｓ２４）。このとき、各コネクタ部は、接続先のコネクタに接続させてもよい。このコネクタ部の配置処理によって、ケーブル４の配線長さや余長長さ、または不足分の長さを明確化させる。そして、ケーブル装置８０は、コネクタ部の配置位置を基準とし、支持ホルダ５２内でケーブル４の折返し部１２を変位させることで、余長などに対するケーブル長さを調整する（Ｓ２５）。
【０１０２】
なお、この実施の形態では、異なる基板間において、コネクタが同方向に実装された場合を示したがこれに限られない。ガイドホルダ８２は、支持ホルダ５２に対する配置位置を変更させることで、ケーブル４の指向方向を変更させてもよい。
【０１０３】
斯かる構成によれば、ガイドホルダ８２を利用することで、ケーブル４を折返して、コネクタの接続方向に指向させることができ、ケーブル４の配線距離とともにケーブル４の適用範囲を拡大させることができる。また、予めガイドホルダ８２によるケーブル４の指向と支持ホルダ５２によるケーブル長の調整を行ったケーブル４を基板１０４に実装させることで、ケーブル設置処理の簡易化および信頼性の向上が図れる。
【０１０４】
〔その他の実施の形態〕
【０１０５】
(1)  上記実施の形態において、ケーブル装置８０は、支持ホルダ５２とガイドホルダ８２とが載置部８４を介して接続された場合を示したがこれに限られない。ガイドホルダ８２は、たとえば支持ホルダ５２と分離可能に形成してもよい。そしてケーブル装置８０は、たとえばケーブル４によって接続させるコネクタ同士の方向に応じて、支持ホルダ５２の設置位置やガイドホルダ８２の設置方向を設定すればよい。また、ケーブル装置８０は、たとえば基板上におけるケーブル４の配線経路に応じて、支持ホルダ５２とガイドホルダ８２とを離間させて設置してもよい。
【０１０６】
(2)  上記実施の形態では、支持ホルダ５２は、第１の収納部５４のスリット７０と第２の収納部５６のスリット７４の形成方向を異ならせた場合を示したがこれに限られない。図２２に示すケーブル装置１３０は、たとえば第１の収納部５４と第２の収納部５６とで同一方向のスリット７４、１３４が形成された支持ホルダ１３２を備えている。この支持ホルダ１３２は、たとえばケーブル４の配線処理において、第１の収納部５４および第２の収納部５６に対し同一方向からケーブル４を挿通させることができる。スリット７４、１３０は、たとえばケーブル装置１３０が基板などに実装される場合の支持ホルダ１３２の向きなどに基づいて開口方向を設定してもよい。
【０１０７】
(3)  上記実施の形態では、支持ホルダ５２およびガイドホルダ８２に対し、ケーブル４の配線方向に沿ったスリット７０、７４、１３４が形成される場合を示したが、これに限られず、スリットを備えないものであってもよい。
【０１０８】
次に、以上述べた実施の形態に関し、更に以下の付記を開示する。以下の付記に本発明が限定されるものではない。
【０１０９】
（付記１）コネクタ間に連結されるケーブルと、
配線方向に沿った折り返しにより形成された前記ケーブルの積層部分を覆い、該積層部分への接触により前記ケーブルを支持する接触支持部を備え、
前記接触支持部は、前記ケーブルの折返し位置を変位可能に支持することで前記ケーブルの配線長さを調整させることを特徴とする、ケーブル装置。
【０１１０】
（付記２）前記接触支持部は、前記ケーブルの配線方向に沿って移動可能に設置され、前記ケーブルの余長調整により形成される前記積層部分に配置される、ことを特徴とする、付記１に記載のケーブル装置。
【０１１１】
（付記３）前記接触支持部は、
一端側に開口部が形成され、該開口部内に挿通された前記ケーブルの折返し部分と前記積層部分とを内部に収納する第１の収納部と、
前記開口部から突出した前記ケーブルの一部を折り返して挿入させる折返し挿入部および挿入させた前記ケーブルを配線方向に挿通させる挿通孔を備える第２の収納部と、
を備えることを特徴とする、付記１または付記２に記載のケーブル装置。
【０１１２】
（付記４）前記第２の収納部は、前記第１の収納部の上部または下部側に積層して形成されることを特徴とする、付記３に記載のケーブル装置。
【０１１３】
（付記５）前記第１の収納部は、内部に収納された前記ケーブルの折返し部分を変位させて前記積層部分の長さを増減させることで、前記ケーブルの配線長さが調整されることを特徴とする、付記３または付記４に記載のケーブル装置。
【０１１４】
（付記６）前記接触支持部は、前記開口部から前記折返し挿入部に対する前記ケーブルの突出量を変えることで、前記ケーブルの配線長さが調整されることを特徴とする、付記３ないし付記５のいずれかに記載のケーブル装置。
【０１１５】
（付記７）さらに、前記接触支持部のケーブル配線方向に対して所定の角度方向に配置され、前記接触支持部を通過して前記角度方向に折り返した前記ケーブルを取り込んで支持する変位支持部と、
を備えることを特徴とする、付記１ないし付記６のいずれかに記載のケーブル装置。
【０１１６】
（付記８）前記第１の収納部、前記第２の収納部および前記変位支持部は、ケーブル配線方向に沿って側面側の一部または全部に、前記ケーブルを挿抜させるスリットが形成されることを特徴とする、付記３ないし付記７のいずれかに記載のケーブル装置。
【０１１７】
（付記９）前記第１の収納部、前記第２の収納部および前記変位支持部は、前記スリットの開口端面に沿って、前記ケーブルを係止する係止爪が形成されることを特徴とする、付記８に記載のケーブル装置。
【０１１８】
（付記１０）前記接触支持部は、前記ケーブルの設置対象に対して固定する固定手段を備えることを特徴とする、付記１ないし付記９のいずれかに記載のケーブル装置。
【０１１９】
（付記１１）コネクタを備える基板と、
前記コネクタに接続されるケーブルと、
配線方向に沿った折り返しにより形成される前記ケーブルの積層部分を覆い、該積層部分に接触により前記ケーブルを支持する接触支持部と、
を備え、
前記接触支持部は、前記ケーブルの折返し位置を変位可能に支持することで前記ケーブルの配線長さを調整させることを特徴とする、電子装置。
【０１２０】
（付記１２）前記接触支持部は、
一端側に開口部が形成され、該開口部内に挿通された前記ケーブルの折返し部分と前記積層部分とを内部に収納する第１の収納部と、
前記開口部から突出した前記ケーブルの一部を折り返して挿入させる折返し挿入部および挿入させた前記ケーブルを配線方向に挿通させる挿通孔を備える第２の収納部と、
を備えることを特徴とする、付記１１に記載の電子装置。
【０１２１】
（付記１３）さらに、前記接触支持部のケーブル配線方向に対して所定の角度方向に配置され、前記接触支持部を通過して前記角度方向に折り返した前記ケーブルを取り込んで支持する変位支持部と、
を備えることを特徴とする、付記１１または付記１２に記載の電子装置。
【０１２２】
（付記１４）コネクタ間に連結されたケーブルに対するケーブル長調整方法であって、
配線方向に沿った折り返しにより前記ケーブルに積層部分を形成し、
接触により前記ケーブルを支持する接触支持部で前記積層部分を覆い、
前記接触支持部が設置された前記ケーブルの折返し位置を変位させることで前記ケーブルの配線長さを調整させる、
処理を含むことを特徴とする、ケーブル長調整方法。
【０１２３】
（付記１５）前記ケーブルの配線方向に沿って前記接触支持部を移動させて、前記積層部分に配置させる処理を含むことを特徴とする、付記１４に記載のケーブル長調整方法。
【０１２４】
（付記１６）前記接触支持部には、
一端側に開口部が形成された第１の収納部内に、前記ケーブルの折返し部分と前記積層部分とを収納させ、
前記開口部から突出した前記ケーブルの一部を折り返して折返し挿入部から第２の収納部内に挿入させ、
挿入させた前記ケーブルを挿通孔から前記第２の収納部を通じて配線方向に配線させる、
処理を含むことを特徴とする、付記１４または付記１５に記載のケーブル長調整方法。
【０１２５】
（付記１７）さらに、前記接触支持部のケーブル配線方向に対して所定の角度方向に変位支持部を配置させ、
前記接触支持部を通過した前記ケーブルを前記角度方向に折り返し、
前記ケーブルを前記変位支持部に取り込ませて支持させる、
処理を含むことを特徴とする、付記１４ないし付記１６のいずれかに記載のケーブル長調整方法。
【０１２６】
以上説明したように、本発明の最も好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１２７】
２、２０、５０、８０、１３０  ケーブル装置
４  ケーブル
６  接触支持部
８  積層部分
１０、４６  第１の折返し部
１２、４８  第２の折返し部
１４  ストッパ
２２、１２０  コネクタ部
２４  ケーブル支持部
２６  支持本体部
２８  固定部
３０、４０、１００  電子装置
３４、４４、１０６  コネクタ
５２、１３２  支持ホルダ
５４  第１の収納部
５６  第２の収納部
５８、９４  開口部
６０  折返し挿入部
６２  ストッパ壁
６４  挿通孔
６５  ストッパ面
７０、７４、９０、１３４  スリット
７２、７６  爪部
８２  ガイドホルダ
８４  載置部
８６  折返し部
８８  収納部
９２  係止爪
１０４  基板
【図１】
2014191769.tif 000003
【図２】
2014191769.tif 000004
【図３】
2014191769.tif 000005
【図４】
2014191769.tif 000006
【図５】
2014191769.tif 000007
【図６】
2014191769.tif 000008
【図７】
2014191769.tif 000009
【図８】
2014191769.tif 000010
【図９】
2014191769.tif 000011
【図１０】
2014191769.tif 000012
【図１１】
2014191769.tif 000013
【図１２】
2014191769.tif 000014
【図１３】
2014191769.tif 000015
【図１４】
2014191769.tif 000016
【図１５】
2014191769.tif 000017
【図１６】
2014191769.tif 000018
【図１７】
2014191769.tif 000019
【図１８】
2014191769.tif 000020
【図１９】
2014191769.tif 000021
【図２０】
2014191769.tif 000022
【図２１】
2014191769.tif 000023
【図２２】
2014191769.tif 000024